(57)【要約】【課題】内部の蒸れを生じさせることなく、身体を部分的に温めることによって生理痛を緩和することができる生理用ショーツの提供。【解決手段】ショーツ本体５の肌対向面側には、前後身頃１１，１２のうちの少なくとも一方の身頃１１，１２の両側縁部間において横方向Ｘへ延びる、温感素材を用いた温感シート４０，７０が配置されている。温感シート４０，７０は、一方の身頃１１，１２のうちの中間域１１Ｃ，１２Ｃに配置されている。【選択図】図２
2020069380.tif 000002
【特許請求の範囲】
【請求項１】
縦方向と横方向とを有し、前身頃と、後身頃と、前記前後身頃間に位置する股下域とを備えるショーツ本体、前記前身頃の上端縁と前記後身頃の上端縁とによって画成されたウエスト開口と、前記前身頃の両側縁部と前記後身頃の両側縁部との接合部の下に形成される一対のレッグ開口とを含む生理用ショーツにおいて、
前記ショーツ本体は、伸縮性を有する身生地から形成されており、
前記前後身頃は、前記上端縁側に位置する上端域と、下端縁側に位置する下端域と、前記上下端域間に位置する中間域とを有し、
前記ショーツ本体の肌対向面側には、前記前後身頃の両側縁間において前記横方向へ延びる、温感素材を用いた温感シートが配置されており、
前記温感シートは、前記前後身頃の前記中間域に配置されていて、
前記前身頃の前記両側縁間において前記横方向へ延びる第１温感シートと、前記後身頃の両側縁部間において前記横方向へ延びる第２温感シートとを有し、
前記前後身頃の両側縁部において、前記第１温感シートの両側縁部と前記第２温感シートの両側縁部とが、少なくとも部分的に互いに重なるようにされていることを特徴とする前記ショーツ。
【請求項２】
前記第１温感シートと前記第２温感シートとによって、胴回り方向へ延びる環状の温感帯域が形成される請求項１に記載のショーツ。
【請求項３】
前記温感シートは、上下端縁部と、前記両側縁部とからなる外周縁部を有し、前記外周縁部において前記ショーツ本体に固定されていて、前記外周縁部に囲まれた前記ショーツ本体に固定されていない領域には、内部空間が画成されている請求項１又は２に記載のショーツ。
【請求項４】
前記第１温感シートは、前記前身頃の前記両側縁部から前記横方向の中央部分に向かって次第に幅広となる請求項１〜３のいずれかに記載のショーツ。
【請求項５】
前記第２温感シートは、前記後身頃の前記両側縁部から前記横方向の中央部分に向かって次第に幅広となっていて、最も幅広の部分は、前記第１温感シートの最も幅広の部分よりも幅広である請求項４に記載のショーツ。
【請求項６】
前記温感シートの前記外周縁部に配置された接合部は、前記横方向へ連続的に延びる起伏形状を有する請求項３に記載のショーツ。
【請求項７】
前記温感シートの前記上下端縁部は、前記横方向へ連続して配置された複数の凸曲部分を有する請求項３に記載のショーツ。
【発明の詳細な説明】
【技術分野】
【０００１】
本発明は、生理用ショーツに関する。
【背景技術】
【０００２】
従来、生理用ショーツは、公知である。例えば、特許文献１と特許文献２とには、それぞれ、前身頃と、後身頃と、着用者の股間に対向する股部とを有し、伸縮性を有する身生地を備えた生理用ショーツが開示されている。特許文献１の生理用ショーツは、前身頃の横方向の中央部分の内面側に遠赤外線放射効果を有する温感シートが配置されている。一方、特許文献２の生理用ショーツは、身生地の構成繊維に遠赤外線放射効果を生じるセラミックが含有されている。
【先行技術文献】
【特許文献】
【０００３】
【特許文献１】特開２００３−３０５０８４号（Ｐ２００３−３０５０８４Ａ）
【特許文献２】特開２０００−３２５３９６号（Ｐ２０００−３２５３９６Ａ）
【発明の概要】
【発明が解決しようとする課題】
【０００４】
特許文献１に開示された生理用ショーツでは、前身頃の横方向の中央部の内面側に遠赤外線放射効果を有する温感シートが配置されていることによって、着用したときに、女性の着用者の臍部近傍のみを温めることができる。一方、特許文献２に開示された生理用ショーツでは、身生地の構成繊維がセラミックを含有することによって、ショーツ全体がセラミックによる遠赤外線放射効果を有し、着用したときに着用者の腹部及び臀部を広い範囲で温めることができる。通常、着用者の子宮や仙骨近傍が温められることによって、血行が良くなり、生理痛を緩和することにつながるので、これらの生理用ショーツを着用することによって、身体が温められて血行を良くし、生理痛を緩和させることができる。
【０００５】
しかしながら、特許文献１の生理用ショーツでは、着用者の臍部近傍のみが温められて、着用者の腹部や背部を横方向へ広く温めるものではない。したがって、着用者の子宮や仙骨近傍を全体的に暖めることができず、温感シートが配置されていない部分が冷えて生理痛を十分に緩和することができない。また、特許文献２の生理用ショーツでは、身生地全体が遠赤外線効果を有することによって着用者の腹部及び背部が全体的に温められるが、前後身頃のみならず股部においても温感作用が生じるので、ショーツ内部が蒸れて、痒みや汗疹等の肌トラブルを招くおそれがある。
【０００６】
本発明は、従来の生理用ショーツの改良であって、内部の蒸れを生じさせることなく、身体を部分的に温めることによって生理痛を緩和することができる生理用ショーツの提供に関する。
【課題を解決するための手段】
【０００７】
前記課題を解決するために、本発明は、縦方向と横方向とを有し、前身頃と、後身頃と、前記前後身頃間に位置する股下域とを備えるショーツ本体、前記前身頃の上端縁と前記後身頃の上端縁とによって画成されたウエスト開口と、前記前身頃の両側縁部と前記後身頃の両側縁部との接合部の下に形成される一対のレッグ開口とを含む生理用ショーツに関する。
【０００８】
本発明に係る生理用ショーツは、前記ショーツ本体は、伸縮性を有する身生地から形成されており、前記前後身頃は、前記上端縁側に位置する上端域と、下端縁側に位置する下端域と、前記上下端域間に位置する中間域とを有し、前記ショーツ本体の肌対向面側には、前記前後身頃の両側縁間において前記横方向へ延びる、温感素材を用いた温感シートが配置されており、前記温感シートは、前記前後身頃の前記中間域に配置されていて、前記前身頃の前記両側縁間において前記横方向へ延びる第１温感シートと、前記後身頃の両側縁部間において前記横方向へ延びる第２温感シートとを有し、前記前後身頃の両側縁部において、前記第１温感シートの両側縁部と前記第２温感シートの両側縁部とが、少なくとも部分的に互いに重なるようにされていることを特徴とする。
【０００９】
本発明に係る生理用ショーツの実施態様の一つにおいて、前記第１温感シートと前記第２温感シートとによって、胴回り方向へ延びる環状の温感帯域が形成される。
【００１０】
本発明に係る生理用ショーツの実施態様の一つにおいて、前記温感シートは、上下端縁部と、前記上下端縁部間において前記縦方向へ延びる両側縁部とからなる外周縁部を有し、前記外周縁部において前記ショーツ本体に固定されていて、前記外周縁部に囲まれた前記ショーツ本体に固定されていない領域には、内部空間が画成されている。
【００１１】
本発明に係る生理用ショーツの実施態様の一つにおいて、前記第１温感シートは、前記前身頃の前記両側縁部から前記横方向の中央部分に向かって次第に幅広となる。
【００１２】
本発明に係る生理用ショーツの実施態様の一つにおいて、前記第２温感シートは、前記後身頃の前記両側縁部から前記横方向の中央部分に向かって次第に幅広となっていて、最も幅広の部分は、前記第１温感シートの最も幅広の部分よりも幅広である。
【００１３】
本発明に係る生理用ショーツの実施態様の一つにおいて、前記温感シートの前記外周縁部に配置された接合部は、前記横方向へ連続的に延びる起伏形状を有する。
【００１４】
本発明に係る生理用ショーツの実施態様の一つにおいて、前記温感シートの前記上下端縁部は、前記横方向へ連続して配置された複数の凸曲部分を有する。
【発明の効果】
【００１５】
本発明に係る生理用ショーツにおいては、温感シートが前後身頃のうちの少なくとも一方の身頃の中間部に配置されていることから、子宮又は仙骨近傍を部分的に温めて生理痛を緩和できるとともに、ショーツ内部が蒸れるのを抑制することができる。
【図面の簡単な説明】
【００１６】
【図１】本発明に係る、着用状態における生理用ショーツを正面から視た斜視図。
【図２】生理用ショーツの展開平面図。
【図３】前身頃の内面側の平面図。
【図４】後身頃の内面側の平面図。
【図５】図３の一点鎖線Ｖで囲んだ領域の一部拡大図。
【図６】着用状態における生理用ショーツを側面から視た斜視図。
【発明を実施するための形態】
【００１７】
下記の実施の形態は、図１〜図７に示す生理用ショーツ１０に関し、発明の不可欠な構成ばかりではなく、選択的及び好ましい構成を含む。説明の便宜上、各図において、温感シートには薄黒色を付している。
【００１８】
図１〜図６を参照すると、本発明の生理用ショーツの一例として示す、生理用ショーツ１０は、縦方向Ｙ及び横方向Ｘと、着用状態における前後方向Ｚとを有し、ウエスト開口８及び一対のレッグ開口９と、前身頃１１と、後身頃１２と、前後身頃１１，１２間に位置する股下域１３とを備えたショーツ本体５とを有する。股下域１３は、説明の便宜上、一対の横断縫合ライン５１，５２間に位置している。
【００１９】
生理用ショーツ１０は、ショーツ本体５の外形を形成する身生地３０を有する。身生地３０は、前身頃１１の外面を形成する前ウエスト生地３２と、後身頃１２の外面を形成する後ウエスト生地３３と、股下域１３の外面を形成する股下生地３４とを有する。股下生地３４は、前身頃１１側に位置する第１部分と後身頃側に位置する第２部分とを有し、第１及び第２部分は横断縫着ライン５３を介して互いに接合される。
【００２０】
前身頃１１（前ウエスト生地３２）の両側縁部１４ａ，１４ｂと後身頃１２（後ウエスト生地３３）の両側縁部１５ａ，１５ｂとが、縦方向Ｙへ延びる縦断縫着ライン（縫着ライン）３５によって互いに接合されることによって、ウエスト開口８と一対のレッグ開口９とが画成される。前身頃１１の両側縁部１４ａ，１４ｂと後身頃１２の両側縁部１５ａ，１５ｂとは、それらの外面どうしが互いに接した状態で縦断縫着ライン３５を介して接合されることによって、縦断縫着ライン３５は、ショーツ本体５の内面側に位置している。
【００２１】
身生地３０は、編み組織によって縦方向Ｙと横方向Ｘとに伸縮可能な伸縮性生地（ツーウエイストレッチ生地）から形成されており、その材料としては、主として綿糸が用いられ、綿糸とポリウレタン弾性糸等の弾性糸とを混紡したものが好適に使用される。本実施形態においては、綿糸として、無農薬有機栽培（オーガニック）されたコットン繊維を好適に用いることができる。身生地３０にオーガニックのコットン繊維が含まれていることによって、肌触りが良好になるとともに、着用者に対して天然由来の材料を使用することによる安心感を与えることができる。
【００２２】
前後身頃１１，１２は、説明の便宜上、それぞれ、縦方向Ｙにおいて、ウエスト開口８側に位置する上端域１１Ａ，１２Ａと、股下域１３側に位置する下端域１１Ｂ，１２Ｂと、上下端域１１Ａ，１２Ａ間に位置する中間域１１Ｃ，１２Ｃとに区分される。具体的には、前後身頃１１，１２の上端域１１Ａ、１２Ａは少なくともウエスト弾性域６１を含んでウエスト開口縁から縦方向Ｙの内側へ延びる領域、下端域１１Ｂ，１２Ｂは前後身頃１１，１２の両側縁部１４ａ，１４ｂ，１５ａ，１５ｂの下端から股下域１３まで延びる領域、中間域１１Ｃ，１２Ｃは、上端域１１Ａ，１２Ａと下端域１１Ｂ、１２Ｂとの間において縦方向Ｙへ延びる領域を意味する。
【００２３】
前後身頃１１，１２における各域１１Ａ，１１Ｂ，１１Ｃ，１２Ａ，１２Ｂ，１２Ｃの縦方向Ｙの寸法は、生理用ショーツ１０のサイズ等によって適宜設定、変更することができるが、下端域１１Ｂ，１２Ｂ≧中間域１１Ｃ，１２Ｃ＞上端域１１Ａ，１２Ａとなっている。また、具体的には、例えば、前後身頃１１，１２の縦方向Ｙの寸法（両側縁部１４ａ，１４ｂ，１５ａ，１５ｂの縦方向Ｙの寸法）に対して、上端域１１Ａ，１２Ａは１０〜３０％、中間域１１Ｃ，１２Ｃは２０〜４０％、下端域１１Ｂ，１２Ｂは４０〜６０％の大きさを有することが好ましく、さらに、前後身頃１１、１２の縦方向Ｙの寸法を３等分して区分けしていてもよい。
【００２４】
ショーツ本体５は、ウエスト開口８を画成する環状のウエスト弾性域６１と、レッグ開口９を画成するレッグ弾性域６２とをさらに有する。ウエスト開口８の開口縁部とレッグ開口９の開口縁部とがそれぞれウエスト弾性域６１とレッグ弾性域６２とによって形成されていることによって、各開口縁部は着用者の身体にフィットされる。
【００２５】
ウエスト弾性域６１は、２つに折り曲げた状態で、身生地３０の上端縁部にウエスト回り方向へ延びる環状縫合ライン５４を介して取り付けられたカバーシート６４と、折り曲げられたカバーシート６４間に伸長状態で収縮可能に配置されたウエスト弾性体６６とを有する。レッグ弾性域６２は、レッグ開口９に沿って環状に延びるレッグ弾性体６８から形成されている。レッグ弾性体６８は、身生地３０の内面に伸長状態で収縮可能に取り付けられている。ウエスト弾性体６６とレッグ弾性体６８とは、糸状、テープ状またはリボン状のゴムやウレタン、伸縮性繊維不織布等の弾性材料から形成される。
【００２６】
レッグ弾性域６２の外側縁部は、身生地３０の外面に取り付けられた幾何学模様等の装飾要素（図示せず）を有するレース生地６９によって縁取りされている。レース生地６９は、オプションであって、レース生地６９によってレッグ開口９を形成することによって、ヒラヒラとした柔らかな印象を与え、意匠性に優れる。また、寝臥状態における着用者の大腿部をレースがカバーして、寝返り等による大腿部の捲れ上がりを抑制しうる。
【００２７】
図２を参照すると、股下域１３には、股下生地３４の内面に固定された当て布５８を有する。当て布５８は、横方向Ｘへ延びる前後端部と、前後端部間において縦方向Ｙへ延びる両側縁部とを有する。当て布５８の前後端部は、一対の横断縫合ライン５１，５２を介して股下生地３４に固定されている。また、当て布５８の両側縁部は、股下生地３４に固定されておらず、前後端部を除く部分は股下生地３４に固定されていない、フリー（非固定）の状態にある。当て布５８は、内外面側に位置する２枚のシートから構成されていて、外面側（非肌対向面側）には、ポリエチレン繊維、ポリエステル繊維及びアクリル繊維等の合成繊維からなる防水加工された編地を用いることが好ましい。
【００２８】
図示していないが、生理用ショーツ１０の着用時において、当て布５８には、生理用ナプキンを取り付けることができる。具体的には、生理用ナプキンの非肌対向面を当て布５８に宛がった状態で翼部を折り曲げて股下生地３４と当て布５８との間に挿し入れて、翼部の肌対向面側に位置する粘着部分を介して当て布５８の非肌対向面に取り付けることによって、生理用ショーツ１０に生理用ナプキンを安定的に固定することができる。当て布５８は、その前後端部を除いてフリーであるので、股下域１３において吊持された状態となり、生理用ナプキンを着用者の身体の動きに追従させるように移動させることができ、経血の漏れを効果的に防止することができる。
【００２９】
また、身生地３０には、股下域１３から後身頃１２まで延びる縦断弾性体５９が配置されている。縦断弾性体５９は、ウエスト弾性体６６等と同様の弾性材料から形成されており、一方端部が環状縫着ライン５４を介して前ウエスト生地３２に固定され、他方端部が横断縫着ライン５３を介して股下生地３４に固定されることによって、縦方向Ｙへ伸長状態で収縮可能に取り付けられる。縦断弾性体５９は、縦方向Ｙへ帯状に連続的に延びているが、断続的に延びていてもよい。また、縦断弾性体５９は、股下域１３を縦断するように横断縫合ライン５２からさらに横断縫合ライン５１まで連続的に延在していてもよい。また、本実施形態においては、縦断弾性体５９の肌対向面側に後記の第２温感シート７０が配置されているので、着用時に縦断弾性体５９が収縮することで第２温感シート７０が着用者の身体に確実に押し当てられ、より高い温感効果を得ることができる。
【００３０】
図２及び３を参照すると、前身頃１１の中間域１１Ｃの内面には、前後身頃１１，１２の両側縁部が互いに接合される縦断縫着ライン３５間（前身頃１１の両側縁間）において横方向Ｘへ延びる第１温感シート（温感シート）４０が配置されている。第１温感シート４０は、横方向Ｘへ延びる上下端縁部４１，４２と、上下端縁部４１，４２間において縦方向Ｙへ延びる両側縁部４３，４４とからなる外周縁部を有する。第１温感シート４０は、外周縁部においてのみ前ウエスト生地３２に固定されている。具体的には、第１温感シート４０は、両側縁部４３，４４が縦断縫着ライン３５を介して前ウエスト生地３２に接合されるとともに、上下端縁部４１，４２が横方向Ｘへ起伏しながら連続的に延びる接合（縫合）部４５を介して前ウエスト生地３２に接合されている。
【００３１】
図２及び図４を参照すると、後身頃１２の中間域１２Ｃの内面には、前後身頃１１，１２の両側縁部が互いに接合される縦断縫着ライン３５間（前身頃１２の両側縁間）において横方向Ｘへ延びる第２温感シート（温感シート）７０が配置されている。第２温感シート７０は、横方向Ｘへ延びる上下端縁部７１，７２と、上下端縁部７１，７２間において縦方向Ｙへ延びる両側縁部７３，７４とからなる外周縁部を有する。第２温感シート７０は、外周縁部においてのみ後ウエスト生地３３に固定されている。具体的には、第２温感シート７０は、両側縁部７３，７４が縦断縫着ライン３５を介して後ウエスト生地３３に接合されるとともに、上下端縁部７１，７２が横方向Ｘへ起伏しながら連続的に延びる接合部７５を介して後ウエスト生地３３に接合されている。
【００３２】
第１及び第２温感シート４０，７０は、編み組織によって縦方向Ｙと横方向Ｘとに伸縮可能な伸縮性生地（ツーウエイストレッチ生地）から形成されており、着用したときに着用者の身体を温めることのできる温感素材が使用される。繊維材料として使用される温感素材としては、例えば、粉末状のセラミックを練り込んだ遠赤外線放射効果を有する繊維、発熱紛体、例えば、熱、アルミニウム、亜鉛、マンガン、マグネシウム等の被酸化性金属を練り込んだ発熱効果を有する繊維、ウール、ガラス繊維や木材パルプ繊維等の断熱効果や吸湿発熱効果を有する繊維のいずれかの繊維を用いることができる。発熱効果を生じる被酸性金属を錬り込んだ繊維を使用する場合には、発熱反応を促進するための酸素保持／供給剤として、活性炭、カーボンブラック、黒鉛、ゼオライト等をともに繊維に練り込むことが好ましい。
【００３３】
本実施形態においては、第１及び第２温感シート４０，７０の温感素材として、２０〜４０℃の低温でも遠赤外線を効率良く放射することのできるアルミナ系セラミックやジルコニウム系セラミック等からなる高純度の超微粒子セラミックを繊維１本ごとの内部に練り込んだ遠赤外線繊維を用いている。また、遠赤外線繊維とともに、ケイ素、アルミニウム、マグネシウム等の複数の微量金属元素と活性炭等の有機植物炭化材とを組み合わせた複合構造材ともいえる蓄熱性繊維を併せて使用することが好ましい。
【００３４】
第１及び第２温感シート４０，７０は、遠赤外線繊維が着用者の身体から放出された遠赤外線を吸収して身体へ輻射することで身体をより温めることができる遠赤外線保温機能を有することに加えて、蓄熱性繊維が身体から放出された遠赤外線を効率的に吸収して遠赤外線繊維に到達させることによって、より多くの遠赤外線が輻射することのできる蓄熱保温機能を備える。したがって、遠赤外線繊維のみを用いた従来の温感シートや断熱効果や吸湿発熱効果を生じる繊維のみを用いた従来の温感シートに比べて保温性に優れ、身体をより内部まで温めることができるといえる。また、多孔質の蓄熱性繊維を有することによって、消臭効果や除湿効果等の副次的効果も発生しうる。
【００３５】
かかる保温作用を有する温感シートが生理用ショーツの内面全体に配置されていた場合や身生地自体に遠赤外線繊維が使用されていた場合には、温感シートの通気性が低く、かつ、広い範囲で身体が温められることで発汗作用が促されて、生理用ショーツの内部が蒸れてしまうおそれがある。また、特に、本実施形態に係る生理用ショーツ１０において、ウエスト弾性域６１の位置する上端域１１Ａ，１２Ａやレッグ弾性域６２の位置する股下域１３に温感シートを配置する場合には、内部の蒸れとともに弾性域６１，６２の伸縮作用によって肌にゴム痕が付き易くなって、肌がカブレたりして肌トラブルを生じるおそれがある。
【００３６】
本実施形態においては、第１及び第２温感シート４０，７０は、それぞれ、前後身頃１１，１２において中間域１１Ｃ，１２Ｃに配置されている。第１及び第２温感シート４０，７０は、前後身頃１１、１２において中間域１１Ｃ，１２Ｃに配置されていればよく、例えば、ウエスト開口８側にも広く温感を付与するために、中間域１１Ｃ，１２Ｃに加えて上端域１１Ａ，１２Ａにも配置されていてもよい。本実施形態においては、第１及び第２温感シート４０，７０は、中間域１１Ｃ，１２Ｃにのみ配置されている。このように、第１及び第２温感シート４０，７０が中間域１１Ｃ，１２Ｃにのみ配置されていて上端域１１Ａ，１２Ａと下端域１１Ｂ，１２Ｂとに配置されていない場合には、生理用ショーツ１０の内面全体が温められて内部の蒸れを生じたり、ウエスト弾性域６１及びレッグ弾性域６２においてゴム痕が付いたり、肌がかぶれるのを抑制することができる。
【００３７】
図６を参照すると、生理用ショーツ１０の着用状態において、第１温感シート４０は、前身頃１１において局所的に着用者の腹部の子宮と対向する位置に配置されており、着用者の子宮を遠赤外線効果によって温めて生理痛を緩和することができる。また、第２温感シート７０は、後身頃１２において局所的に着用者に背部の仙骨近傍と対向する位置に配置されており、着用者の仙骨近傍を遠赤外線効果によって温めて生理に伴う腰痛を緩和することができる。
【００３８】
第１温感シート４０が前身頃１１の中間域１１Ｃにのみ配置され、かつ、第２温感シート７０が後身頃１２の中間域１２Ｃにのみ配置されていることによって、縦断縫着ライン３５を介して身生地３０とともに、第１温感シート４０の両側縁部４３，４４と第２温感シート７０の両側縁部７３，７４とが、少なくとも部分的に互いに重なるように接合されている。このように、第１温感シート４０の両側縁部４３，４４と第２温感シート７０の両側縁部７３，７４とが互いに連結されることによって、ウエスト周り方向へ延びる環状の温帯域が形成されるので、腹部又は背部のみを温める場合に比べて、着用者の子宮と仙骨近傍とを含めた腹部及び背部の一部を環状に温めて生理痛をより効果的に緩和することができる。
【００３９】
ただし、第１及び第２温感シート４０，７０は、所要の生理痛緩和の効果を生じる限りにおいて、両方又は少なくとも一方が生理用ショーツ１０の内面に配置されていればよく、例えば、第２温感シート７０のみが後身頃１２の内面に配置され、第１温感シート４０が前身頃１１の内面に配置されていなくてもよい。特に、女性は生理時に腹痛よりも腰痛に悩まされることが多いことから、前後身頃１１，１２の一方にのみ温感シート４０，７０を配置する場合には、後身頃１２にのみ配置することが好ましい。
【００４０】
既述のとおり、第１及び第２温感シート４０，７０は、外周縁部においてのみ身生地３０に固定されており、外周縁部に囲まれた領域には、身生地３０から離間してなる内部空間Ｓ１，Ｓ２が画成される。第１及び第２温感シート４０，７０と身生地３０との間に内部空間Ｓ１，Ｓ２が形成される形成されることによって、遠赤外線効果によって温められた空気が内部空間Ｓ１，Ｓ２に滞留する。温度の高い空気が内部空間Ｓ１，Ｓ２に滞留して横方向Ｘに拡がることから、第１及び第２温感シート４０，７０の遠赤外線の輻射効果と相俟って、着用者の子宮及び仙骨近傍を広い範囲でかつより長時間、高い温度で温めてより効果的に生理痛を緩和することができる。
【００４１】
図３を参照すると、第１温感シート４０の上端縁４０ａは横方向Ｘへほぼ直線状へ延びているのに対し、下端縁４０ｂは両側縁部４３，４４から横方向Ｘの中央部分４８に向かって緩やかに股下域１３側へ凸曲した形状を有している。それによって、第１温感シート４０は、両側縁部４３，４４から中央部分４８へ向かって次第に幅広となる形状を有する。したがって、第１温感シート４０の中央部分４８は、他の部分に比べて最も幅広の部分であって、中央部分４８によって着用者の子宮の中心近傍を広い範囲で温めることができる。
【００４２】
図４を参照すると、第２温感シート７０の上端縁７０ａは、両側縁部７３，７４から横方向の中央部分７８へ向かって緩やかにウエスト開口８側へ凸曲した形状を有していて、下端縁７０ｂは、中央部分７８へ向かって緩やかに股下域１３側へ凸曲した形状を有している。第２温感シート７０は、両側縁部７３，７４から中央部分７８へ向かって次第に幅広となる形状を有する。したがって、第２温感シート７０の中央部分７８は、他の部分に比べて最も幅広の部分であって、中央部分７８によって着用者の仙骨近傍を広い範囲で温めることができる。
【００４３】
また、第２温感シート７０の中央部分７８の縦方向Ｙの寸法（縦断中心線Ｐに沿う寸法）Ｌ２は、第１温感シート４０の中央部分４８の縦方向Ｙの寸法（縦断中心線に沿う寸法）Ｌ１よりも大きくなっている。したがって、第２温感シート７０の中央部分７８は比較的に幅広であって、着用者の仙骨近傍を広い範囲で温めて生理時の腰痛を効果的に緩和することができる。
【００４４】
図５を参照すると、第１温感シート４０の上下端縁部４１，４２を身生地３０に固定するための接合部４５は、横方向Ｘへ連続的に延びる起伏形状を有する。接合部４５が、かかる起伏形状を有することによって、接合部４５の縫い目４５ａの間には非接合部分４５ｂが位置する。縫い目４５ａと非接合部分４５ｂとが横方向Ｘへ交互に位置することによって、隙間なく縫い目４５ａが配置される場合に比べて、接合部４５近傍の領域の横方向Ｘへの伸縮性が完全に抑制されることはなく、また、上端縁部４１の剛性が高くなって着用者に違和感を与えるおそれはない。なお、図示していないが、第１温感シート４０の下端縁部４２を固定するための接合部４５及び第２温感シート７０の上下端縁部７１，７２を固定するための接合部７５も図５に示した接合部４５と同様の態様を有する。
【００４５】
また、第１及び第２温感シート４０，７０の接合部４５，７５がかかる形状を有し、かつ、身生地３０と第１及び第２温感シート４０，７０の伸縮度合いの相違とによって、非接合部分４５ｂが弛緩した状態となり、上下端縁４０ａ，４０ｂ，７０ａ，７０ｂには、非接合部分４５ｂからなる横方向Ｘへ連続して配置された複数の凸曲部分を有する。このように、上下端縁４０ａ，４０ｂ，７０ａ，７０ｂが複数の凸曲部分を有することによって、着用者の身体が触れたときでも肌に刺激を与えることがなく、また、伸長したときに肌に食い込むことがない。
【００４６】
生理用ショーツを構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００４７】
５  ショーツ本体
８  ウエスト開口
９  レッグ開口
１０  生理用ショーツ
１１  前身頃
１１Ａ  上端域
１１Ｂ  下端域
１１Ｃ  中間域
１２  後身頃
１２Ａ  上端域
１２Ｂ  下端域
１２Ｃ  中間域
１３  股下域
３０  身生地
４０  第１温感シート（温感シート）
４１  上端縁部
４２  下端縁部
４３  側縁部
４４  側縁部
４５  接合部
４８  中央部分
７０  第２温感シート（温感シート）
７１  上端縁部
７２  下端縁部
７３  側縁部
７４  側縁部
７５  接合部
７８  中央部分
Ｓ１  内部空間
Ｓ２  内部空間
Ｘ  横方向
Ｙ  縦方向
【図１】
2020069380.tif 000003
【図２】
2020069380.tif 000004
【図３】
2020069380.tif 000005
【図４】
2020069380.tif 000006
【図５】
2020069380.tif 000007
【図６】
2020069380.tif 000008
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
縦方向と横方向とを有し、前身頃と、後身頃と、前記前後身頃間に位置する股下域とを備えるショーツ本体と、前記前身頃の上端縁と前記後身頃の上端縁とによって画成されたウエスト開口と、前記前身頃の両側縁部と前記後身頃の両側縁部との接合部の下に形成される一対のレッグ開口とを含む生理用ショーツにおいて、
前記ショーツ本体は、伸縮性を有する身生地から形成されており、
前記前後身頃は、前記上端縁側に位置する上端域と、下端縁側に位置する下端域と、前記上下端域間に位置する中間域と、前記ウエスト開口に沿って延びるウエスト弾性域と前記レッグ開口に沿って延びるレッグ弾性域とを有し、
前記ショーツ本体の肌対向面側には、前記前後身頃のうちの少なくとも一方の身頃の両側縁間において前記横方向へ連続して延びる、温感素材を用いた温感シートが配置されており、
前記温感シートは、前記一方の身頃のうちの前記中間域に配置されていて、前記ウエスト弾性域と前記レッグ弾性域とに重なっていないことを特徴とする前記ショーツ。
【請求項２】
縦方向と横方向とを有し、前身頃と、後身頃と、前記前後身頃間に位置する股下域とを備えるショーツ本体と、前記前身頃の上端縁と前記後身頃の上端縁とによって画成されたウエスト開口と、前記前身頃の両側縁と前記後身頃の両側縁部との接合部の下に形成される一対のレッグ開口とを含む生理用ショーツにおいて、
前記ショーツ本体は、伸縮性を有する身生地から形成されており、
前記前後身頃は、前記上端縁側に位置する上端域と、下端縁側に位置する下端域と、前記上下端域間に位置する中間域とを有し、
前記ショーツ本体の肌対向面側には、前記股下域から前記後身頃の前記上端域まで延びる縦断弾性体と、前記前後身頃のうちの少なくとも後身頃の両側縁間において前記横方向へ延びる、温感素材を用いた温感シートとが配置されており、
前記温感シートは、後身頃のうちの前記中間域に配置されていて、前記縦断弾性体の肌対向面側に位置することを特徴とする前記ショーツ。
【請求項３】
前記身生地は、前記前身頃側に位置する第１部分と、前記後身頃側に位置する第２部分とを有し、前記第１部分と前記第２部分とは横断縫着ラインを介して互いに接合されていて、
前記縦断弾性体は、前記横断縫着ラインまで延びている請求項２に記載のショーツ。
【請求項４】
前記股下域の肌対向面側には当て布が配置されていて、前記当て布の前後端部は前記身生地に固定されており、前記縦断弾性体は、前記当て布の非肌対向面側に位置し、前記股下域を縦断している請求項２又は３に記載のショーツ。
【請求項５】
前記ウエスト弾性域は、２つに折り曲げた状態で、前記身生地の上端縁部にウエスト周り方向へ延びる環状縫合ラインと介して取り付けられたカバーシートと、折り曲げられた前記カバーシート間に伸長状態で収縮可能に配置されたテープ状のウエスト弾性体とを有する請求項１に記載のショーツ。
【請求項６】
前記レッグ弾性域は、前記レッグ開口に沿って環状に延び、かつ、前記身生地の内面に伸長状態で収縮可能に取り付けられたテープ状のレッグ弾性体を有する請求項１又は５に記載のショーツ。
【請求項７】
前記温感シートは、前記前身頃の前記両側縁間において前記横方向へ延びる第１温感シートと、前記後身頃の両側縁部間において前記横方向へ延びる第２温感シートとをさらに有し、
前記第１温感シートと前記第２温感シートとによって、胴回り方向へ延びる環状の温感帯域が形成される請求項１〜６のいずれかに記載のショーツ。
【請求項８】
前記温感シートは、上下端縁部と、前記両側縁部とからなる外周縁部を有し、前記外周縁部において前記ショーツ本体に固定されていて、前記外周縁部に囲まれた前記ショーツ本体に固定されていない領域には、内部空間が画成されている請求項１〜７のいずれかに記載のショーツ。
【請求項９】
前記第１温感シートは、前記前身頃の前記両側縁部から前記横方向の中央部分に向かって次第に幅広となる請求項７に記載のショーツ。
【請求項１０】
前記第２温感シートは、前記後身頃の前記両側縁部から前記横方向の中央部分に向かって次第に幅広となっていて、最も幅広の部分は、前記第１温感シートの最も幅広の部分よりも幅広である請求項７に記載のショーツ。
【請求項１１】
前記温感シートの前記外周縁部に配置された接合部は、前記横方向へ連続的に延びる起伏形状を有する請求項８に記載のショーツ。
【手続補正２】
【補正対象書類名】明細書
【補正対象項目名】０００７
【補正方法】変更
【補正の内容】
【０００７】
前記課題を解決するために、本発明は、縦方向と横方向とを有し、前身頃と、後身頃と、前記前後身頃間に位置する股下域とを備えるショーツ本体と、前記前身頃の上端縁と前記後身頃の上端縁とによって画成されたウエスト開口と、前記前身頃の両側縁部と前記後身頃の両側縁部との接合部の下に形成される一対のレッグ開口とを含む生理用ショーツに関する。
【手続補正３】
【補正対象書類名】明細書
【補正対象項目名】０００８
【補正方法】変更
【補正の内容】
【０００８】
本発明の第１発明に係る生理用ショーツは、前記ショーツ本体は、伸縮性を有する身生地から形成されており、前記前後身頃は、前記上端縁側に位置する上端域と、下端縁側に位置する下端域と、前記上下端域間に位置する中間域と、前記ウエスト開口に沿って延びるウエスト弾性域と前記レッグ開口に沿って延びるレッグ弾性域とを有し、前記ショーツ本体の肌対向面側には、前記前後身頃のうちの少なくとも一方の身頃の両側縁間において前記横方向へ連続して延びる、温感素材を用いた温感シートが配置されており、前記温感シートは、前記一方の身頃のうちの前記中間域に配置されていて、前記ウエスト弾性域と前記レッグ弾性域とに重なっていないことを特徴とする。
【手続補正４】
【補正対象書類名】明細書
【補正対象項目名】０００９
【補正方法】変更
【補正の内容】
【０００９】
本発明の第２発明に係る生理用ショーツは、前記ショーツ本体は、伸縮性を有する身生地から形成されており、前記前後身頃は、前記上端縁側に位置する上端域と、下端縁側に位置する下端域と、前記上下端域間に位置する中間域とを有し、前記ショーツ本体の肌対向面側には、前記股下域から前記後身頃の前記上端域まで延びる縦断弾性体と、前記前後身頃のうちの少なくとも後身頃の両側縁間において前記横方向へ延びる、温感素材を用いた温感シートとが配置されており、前記温感シートは、後身頃のうちの前記中間域に配置されていて、前記縦断弾性体の肌対向面側に位置することを特徴とする。
【手続補正５】
【補正対象書類名】明細書
【補正対象項目名】００１０
【補正方法】変更
【補正の内容】
【００１０】
本発明に係る生理用ショーツの実施態様の一つにおいて、前記身生地は、前記前身頃側に位置する第１部分と、前記後身頃側に位置する第２部分とを有し、前記第１部分と前記第２部分とは横断縫着ラインを介して互いに接合されていて、前記縦断弾性体は、前記横断縫着ラインまで延びている。
【手続補正６】
【補正対象書類名】明細書
【補正対象項目名】００１１
【補正方法】変更
【補正の内容】
【００１１】
本発明に係る生理用ショーツの実施態様の一つにおいて、前記股下域の肌対向面側には当て布が配置されていて、前記当て布の前後端部は前記身生地に固定されており、前記縦断弾性体は、前記当て布の非肌対向面側に位置し、前記股下域を縦断している。
【手続補正７】
【補正対象書類名】明細書
【補正対象項目名】００１２
【補正方法】変更
【補正の内容】
【００１２】
本発明に係る生理用ショーツの実施態様の一つにおいて、前記ウエスト弾性域は、２つに折り曲げた状態で、前記身生地の上端縁部にウエスト周り方向へ延びる環状縫合ラインと介して取り付けられたカバーシートと、折り曲げられた前記カバーシート間に伸長状態で収縮可能に配置されたテープ状のウエスト弾性体とを有する。
【手続補正８】
【補正対象書類名】明細書
【補正対象項目名】００１３
【補正方法】変更
【補正の内容】
【００１３】
本発明に係る生理用ショーツの実施態様の一つにおいて、前記レッグ弾性域は、前記レッグ開口に沿って環状に延び、かつ、前記身生地の内面に伸長状態で収縮可能に取り付けられたテープ状のレッグ弾性体を有する。
【手続補正９】
【補正対象書類名】明細書
【補正対象項目名】００１４
【補正方法】変更
【補正の内容】
【００１４】
本発明に係る生理用ショーツの実施態様の一つにおいて、前記温感シートは、前記前身頃の前記両側縁間において前記横方向へ延びる第１温感シートと、前記後身頃の両側縁部間において前記横方向へ延びる第２温感シートとをさらに有し、前記第１温感シートと前記第２温感シートとによって、胴回り方向へ延びる環状の温感帯域が形成される。
本発明に係る生理用ショーツの実施態様の一つにおいて、前記温感シートは、上下端縁部と、前記両側縁部とからなる外周縁部を有し、前記外周縁部において前記ショーツ本体に固定されていて、前記外周縁部に囲まれた前記ショーツ本体に固定されていない領域には、内部空間が画成されている。
本発明に係る生理用ショーツの実施態様の一つにおいて、前記第１温感シートは、前記前身頃の前記両側縁部から前記横方向の中央部分に向かって次第に幅広となる。
本発明に係る生理用ショーツの実施態様の一つにおいて、前記第２温感シートは、前記後身頃の前記両側縁部から前記横方向の中央部分に向かって次第に幅広となっていて、最も幅広の部分は、前記第１温感シートの最も幅広の部分よりも幅広である。
本発明に係る生理用ショーツの実施態様の一つにおいて、前記温感シートの前記外周縁部に配置された接合部は、前記横方向へ連続的に延びる起伏形状を有する。